(57)【要約】【課題】気体への液体の混合、分散を瞬時のうちに実現できる気・液混合分散装置を提供する。【解決手段】中空の筒状ケーシング内に配置されていて、回転することによって、当該筒状ケーシングの一方から他方に向かう気体の流動を生じさせる回転翼と、前記中空筒状ケーシングの一端側で、前記回転翼の回転によって引き起こされた気体の流動が向かう側に配置されている冷却フィンと、前記回転翼に近接配備されているノズル口を有し、前記回転翼から前記冷却フィンが配備されている方向に向けて当該ノズル口より液体を噴霧する液体噴霧手段とを備えてなる気・液混合分散装置。【選択図】      図１
2004209453.tif 000002
【特許請求の範囲】
【請求項１】
中空の筒状ケーシング内に配置されていて、回転することによって、当該筒状ケーシングの一方から他方に向かう気体の流動を生じさせる回転翼と、前記中空筒状ケーシングの一端側で、前記回転翼の回転によって引き起こされた気体の流動が向かう側に配置されている冷却フィンと、前記回転翼に近接配備されているノズル口を有し、前記回転翼から前記冷却フィンが配備されている方向に向けて当該ノズル口より液体を噴霧する液体噴霧手段とを備えてなる気・液混合分散装置。
【請求項２】
冷却フィンは中空筒状ケーシングの内径に対応する内径を有し、周壁に複数の透孔が穿設されている中空筒状体であることを特徴とする請求項１記載の気・液混合分散装置。
【請求項３】
中空筒状ケーシング内の前記回転翼と冷却フィンとの間に固定翼が配置されていることを特徴とする請求項１又は２記載の気・液混合分散装置。
【発明の詳細な説明】
【０００１】
【発明の属する技術分野】
この発明は、空気のような気体に水のような液体を混合し、分散する装置に関する。
【０００２】
【従来の技術】
従来、気体に液体を混合、分散する場合、容器や槽を用い、これらの中で気体への液体の混合、分散を行っていた。
【０００３】
【発明が解決しようとする課題】
容器や槽を用い、これらの中で気体への液体の混合、分散を行う従来の方法では、容器や槽の中での一定の滞留時間が必要とされていた。
本発明は、容器や槽の中での滞留時間を短縮し、瞬時に気体への液体の混合、分散を行うことのできる気・液混合分散装置を提供することを目的としている。
【０００４】
【課題を解決するための手段】
前記課題を解決するため、本発明が提案する気・液混合分散装置は、中空の筒状ケーシング内に配置されていて、回転することによって、当該筒状ケーシングの一方から他方に向かう気体の流動を生じさせる回転翼と、前記中空筒状ケーシングの一端側で、前記回転翼の回転によって引き起こされた気体の流動が向かう側に配置されている冷却フィンと、前記回転翼に近接配備されているノズル口を有し、前記回転翼から前記冷却フィンが配備されている方向に向けて当該ノズル口より液体を噴霧する液体噴霧手段とを備えてなるものである。
【０００５】
この本発明が提案する気・液混合分散装置によれば、液体噴霧手段のノズル口から噴霧された液体、例えば、水は、回転翼の回転によって引き起こされ、中空筒状ケーシング内を冷却フィンの方向に向かって流動する気体の流れに乗ると共に、この回転翼の回転によって引き起こされる気体の渦流によって微細化され、この気体の渦量の中に瞬時に混合し、分散されていく。
【０００６】
そこで、気体への液体の混合、分散を瞬時のうちに実現することができる。
【０００７】
前述した本発明の気・液混合分散装置によれば、回転翼の回転によって引き起こされる気体の渦流によって微細化され、この気体の渦量の中に瞬時に混合、分散した液体、例えば、水は、冷却フィンに微細な水滴となって付着するが、回転翼の回転によって引き起こされている気体の渦流、流動によって、ただちに蒸発する。この蒸発潜熱（気化熱）によって冷却フィンが冷却されるので、この冷却フィンに接触して通過していく気体は急速に冷却されることになる。
【０００８】
そこで、前述した本発明の気・液混合分散装置を空調装置（例えば、冷房装置）の室外機や、自動車のラジエーターなどに連接することにより、冷房装置、自動車のラジエーターの冷却機能を高めることができる。
【０００９】
前記本発明の気・液混合分散装置において、冷却フィンは中空筒状ケーシングの内径に対応する内径を有し、周壁に複数の透孔が穿設されている中空筒状体とすることができる。
【００１０】
また、前記本発明の気・液混合分散装置において、中空筒状ケーシング内の前記回転翼と冷却フィンとの間に固定翼が配置されている構造を採用することができる。
【００１１】
このようにすれば、回転翼によって生起された気体の渦流は、その流動方向前方に配置されている固定翼にぶつかって、より強力、複雑な渦流になるので、液体の微細化を進め、より精密な分散を行うことができる。これによって、この微細化が進行した液体が前方の冷却フィンに付着して蒸発する際の蒸発潜熱（気化熱）を利用して冷却フィンを冷却し、この冷却フインに接触して通過していく気体を冷却する効率を高めることができる。
【００１２】
【発明の実施の形態】
以下、添付図面を参照して本発明の好ましい実施形態を説明する。
【００１３】
図１は本発明の好ましい実施形態を説明する概略断面図である。
【００１４】
金属製で中空の筒状ケーシング２内に回転翼３が配置されている。回転翼３は不図示のモータから回転力を受けて、例えば、図１中、矢印４方向に回転し、筒状ケーシング２の一方から他方に向かう（図１では、右側から左側に矢印５方向に向かう）気体の流動を生じさせるものである。
【００１５】
筒状ケーシング２の一端側（図１では左側）には、冷却フィン６が配置されている。冷却フィン６は、回転翼３の回転によって引き起こされた気体の流動が向かう側に配置される。
【００１６】
図１図示の実施形態では冷却フィン６は中空の筒状ケーシング２の内径に対応する内径を有し、周壁に複数の透孔７が穿設されている金属製の中空筒状体である。
【００１７】
筒状ケーシング２内の回転翼３と冷却フィン６との間には、固定翼８が配置されている。
【００１８】
この気・液混合分散装置１には液体噴霧手段が備えられており、この液体噴霧手段の給水管９の先端に備えられているノズル口１０は、回転翼３に近接して配備されている。そして、この液体噴霧手段によって、回転翼３から冷却フィン６が配備されている方向に向けてノズル口１０より気体中に混合すべき液体が噴霧される。
【００１９】
本発明の気・液混合分散装置１の動作を以下に説明する。
【００２０】
ノズル口１０より噴霧された水は、回転翼３の回転によって引き起こされ、中空の筒状ケーシング２内を冷却フィン６の方向に向かって流動する気体の流れに乗ると共に、この回転翼３の回転によって引き起こされる気体の渦流によって微細化され、この気体の渦量の中に瞬時に混合し、分散する。
【００２１】
こうして、気体への液体の混合、分散を瞬時のうちに実現できる。
【００２２】
なお、図１図示のように固定翼８が配備されている装置では、回転翼３によって生起された気体の渦流は、その流動方向前方に配置されている固定翼８にぶつかって、より強力、複雑な渦流になる。そこで、液体がより一層微細化され、より精密な分散が進行する。
【００２３】
前記のように微細化され、気体の渦量の中に精密に分散した水分は、冷却フィン６に非常に微細な水滴となって付着する。
【００２４】
この冷却フィン６に付着した非常に微細な水滴は、回転翼３の回転によって引き起こされている気体の渦流、流動によって、ただちに蒸発する。この蒸発潜熱（気化熱）によって冷却フィン６が冷却され、この冷却フィン６に接触して矢印５方向に通過していく気体は急速に冷却される。
【００２５】
そこで、本発明の気・液混合分散装置１は、空調装置（例えば、冷房装置）の室外機や、自動車のラジエーターなどに連接して、冷房装置、自動車のラジエーターの冷却機能を高める冷却補助具として用いることができる。
【００２６】
図２は、冷房装置の室外機に本発明の気・液混合分散装置１を取り付けた場合の断面図である。基本的な構造は、図１図示の実施形態のものと同一であるので、図１を用いて説明した実施例中における構造要素と共通する部分には同一の符号をつけてその説明を省略する。
【００２７】
図２図示の実施形態においては固定翼が配備されていない点が図１図示の実施形態のものと相違している。
【００２８】
回転翼３の回転によって生起された気体が流動していく前方に配備される固定翼は、より強力で、強い渦流を気体に生じさせることによって気体中への液体の分散をより精密なものとし、液体の微粒子化をより一層進行させることを目的として配備されるものである。そこで、冷却フィン６がその役割を果たしえるならば、図２図示の実施形態のように固定翼が配備されていない構造にすることも可能である。
【００２９】
以上説明した図１、図２図示の実施形態では、冷却フィン６は、いずれも、中空の筒状ケーシング２の内径に対応する内径を有し、周壁に複数の透孔７が穿設されている金属製の中空筒状体としたが、前述したように、微粒子化した液体がその表面に付着し、この付着した粒子状態の液体が、回転翼３の回転によって引き起こされている気体の渦流、流動によってただちに蒸発し、この蒸発潜熱（気化熱）によって冷却フィンが冷却され、この冷却フィンに接触して矢印５方向に通過していく気体が急速に冷却される作用、機能を発揮できるものであれば、かかる形状、構造に限定されるものではない。
【００３０】
【発明の効果】
この本発明が提案する気・液混合分散装置によれば、液体噴霧手段のノズル口から噴霧された液体、例えば、水は、回転翼の回転によって引き起こされ、中空筒状ケーシング内を冷却フィンの方向に向かって流動する気体の流れに乗ると共に、この回転翼の回転によって引き起こされる気体の渦流によって微細化され、この気体の渦量の中に瞬時に混合し、分散されていく。そこで、気体への液体の混合、分散を瞬時のうちに実現することができる。
【００３１】
このように回転翼の回転によって引き起こされる気体の渦流によって微細化され、この気体の渦量の中に瞬時に混合、分散した液体、例えば、水は、冷却フィンに微細な水滴となって付着し、回転翼の回転によって引き起こされている気体の渦流、流動によって、ただちに蒸発する。この蒸発潜熱（気化熱）によって冷却フィンが冷却されるので、この冷却フィンに接触して通過していく気体は急速に冷却される。そこで、本発明の気・液混合分散装置を空調装置（例えば、冷房装置）の室外機や、自動車のラジエーターなどに連接することにより、冷房装置、自動車のラジエーターの冷却機能を高めることができる。
【図面の簡単な説明】
【図１】本発明の気・液混合分散装置の一実施例を説明する概略断面図。
【図２】本発明の他の気・液混合分散装置の実施例を説明する概略断面図。
【符号の説明】
１  気・液混合分散装置
２  筒状ケーシング
３  回転翼
６  冷却フィン
７  透孔
８  固定翼
９  給水管
１０  ノズル口
【図１】
2004209453.tif 000003
【図２】
2004209453.tif 000004